(57)【要約】      （修正有）【課題】手術時に、骨接合用プレートがずれることを防止し、かつ、初期治癒に必要不可欠である十分な血流が確保できる骨接合材システムを提供する。【解決手段】少なくとも１つの透孔１１を備えたスクリュウ挿入側骨接合用プレート１０と、少なくとも１つのネジ孔２１を備えた受側骨接合用プレート２０と、透孔１１に通され、かつ、ネジ孔２１に係合可能である少なくとも１つの受側プレート固定用スクリュウ３０とからなり、スクリュウ挿入側骨接合用プレート１０および受側骨接合用プレート２０のそれぞれには、骨と対向する側に、円柱状または多角柱状の基部と、円錐状または多角錐状の先端部とからなる複数の突起構造１２，２２を備える。【選択図】図１
0003147348.tif 000002
【実用新案登録請求の範囲】
【請求項１】
少なくとも１つの透孔を備えたスクリュウ挿入側骨接合用プレートと、少なくとも１つのネジ孔を備えた受側骨接合用プレートと、前記透孔に通され、かつ、前記ネジ孔に係合可能である受側プレート固定用スクリュウとからなる骨接合材システムであり、前記スクリュウ挿入側骨接合用プレートおよび前記受側骨接合用プレートのそれぞれには、骨と対向する側に、円柱状または多角柱状の基部と、円錐状または多角錐状の先端部とからなる複数の突起構造を備えるスリップ防止機能付き骨接合材システム。
【請求項２】
少なくとも１つの透孔を備えたスクリュウ挿入側骨接合用プレートと、少なくとも１つのネジ孔を備えた受側骨接合用プレートと、前記透孔に通され、かつ、前記ネジ孔に係合可能である受側プレート固定用スクリュウとからなる骨接合材システムであり、前記スクリュウ挿入側骨接合用プレートおよび前記受側骨接合用プレートのそれぞれには、骨と対向する側に、円錐状または多角錐状の複数の突起構造を備えるスリップ防止機能付き骨接合材システム。
【請求項３】
前記透孔、および前記ネジ孔は、数がそれぞれ１〜８である、請求項１または２に記載のスリップ防止機能付き骨接合材システム。
【請求項４】
隣り合う前記透孔または前記ネジ孔の間に、前記突起構造が配置される請求項１から３のいずれかに記載のスリップ防止機能付き骨接合材システム。
【請求項５】
少なくとも１つの透孔を備えたスクリュウ挿入側骨接合用プレートと、前記透孔に通され、かつ、骨にネジ入れ可能である骨固定用スクリュウとからなる骨接合材システムであり、前記スクリュウ挿入側骨接合用プレートには、骨と対向する側に、円柱状または多角柱状の基部と、円錐状または多角錐状の先端部とからなる複数の突起構造を備えるスリップ防止機能付き骨接合材システム。
【請求項６】
少なくとも１つの透孔を備えたスクリュウ挿入側骨接合用プレートと、前記透孔に通され、かつ、骨にネジ入れ可能である骨固定用スクリュウとからなる骨接合材システムであり、前記スクリュウ挿入側骨接合用プレートには、骨と対向する側に、円錐状または多角錐状の複数の突起構造を備えるスリップ防止機能付き骨接合材システム。
【請求項７】
前記透孔は、数が１〜８である、請求項５または６に記載のスリップ防止機能付き骨接合材システム。
【請求項８】
隣り合う前記透孔の間には、前記突起構造が配置される請求項５から７のいずれかに記載のスリップ防止機能付き骨接合材システム。
【考案の詳細な説明】
【技術分野】
【０００１】
本考案は、あらゆる部分の骨折修復に用いられる骨接合材に関し、特に、粉砕骨折や骨盤骨折などのように、修復が困難な症例に対して使用されるスリップ防止機能付き骨接合材システムに関する。
【背景技術】
【０００２】
現在、骨折修復に用いられるように、様々な形状のプレートや、プレート以外の骨接合材が市販されている。骨接合材の形状は、骨の形状に応じて、あるいは、いろいろな骨に用いることができるように、工夫が施されており、多種多様な骨接合材が存在している。しかし、複雑骨折や骨盤骨折の場合、市販の骨接合材を用いて修復手術を行うには高度な技術が必要であり、さらに、十分な種類の骨接合材の備えがないと、手術が繁雑になり、また手術時に骨接合材のずれが生じるなどの不具合が起る場合があった。
【０００３】
手術時に骨接合材のずれが生じると初期固定が得られ難く、修復に時間が掛かり、患者への負担も大きくなる。
【０００４】
骨接合材がずれる理由のひとつとして、従来の骨接合材が、骨面に対して狭い面積で、面同士が接触するように、配置されることが挙げられる。
【０００５】
このような手術時の骨接合材のずれを防ぎ、初期固定を向上させるため、骨に接触する側に、突起を付与する骨接合材があった。例えば、特開平６−２７７２２８号公報には、骨と対向する面に特徴的な突起を備えた骨接合板システムが記載されている。
【０００６】
しかし、特開平６−２７７２２８号公報に記載された骨接合板では、初期治癒に必要不可欠である十分な血流が確保できない場合があるという問題があった。
【特許文献１】特開平６−２７７２２８号公報
【考案の開示】
【考案が解決しようとする課題】
【０００７】
本考案の目的は、手術時に、骨接合用プレートがずれることを防止することで、十分な初期固定を確保し、かつ、初期治癒に必要不可欠である十分な血流が確保できる骨接合材システムを提供することである。
【課題を解決するための手段】
【０００８】
本考案の骨接合材システムは、少なくとも１つの透孔を備えたスクリュウ挿入側骨接合用プレートと、少なくとも１つのネジ孔を備えた受側骨接合用プレートと、前記透孔に通され、かつ、前記ネジ孔に係合可能である受側プレート固定用スクリュウとからなり、前記スクリュウ挿入側骨接合用プレートおよび前記受側骨接合用プレートのそれぞれには、骨と対向する側に、円柱状または多角柱状の基部と、円錐状または多角錐状の先端部とからなる複数の突起構造を備える。突起構造は、単に、円錐状または多角錐状であってもよい。
【０００９】
さらに、前記透孔、および前記ネジ孔は、数がそれぞれ１〜８である。
【００１０】
さらに、隣り合う前記透孔または前記ネジ孔の間に、前記突起構造が配置されることが好ましい。
【００１１】
あるいは、少なくとも１つの透孔を備えたスクリュウ挿入側骨接合用プレートと、前記透孔に通され、かつ、骨にネジ入れ可能である骨固定用スクリュウとからなる骨接合材システムであり、前記スクリュウ挿入側骨接合用プレートには、骨と対向する側に、円柱状または多角柱状の基部と、円錐状または多角錐状の先端部とからなる複数の突起構造を備える。突起構造は、単に、円錐状または多角錐状であってもよい。
【００１２】
さらに、前記透孔は、数が１〜８である。
【００１３】
さらに、隣り合う前記透孔の間には、前記突起構造が配置されることが好ましい。
【考案の効果】
【００１４】
本考案では、突起構造により、骨面と骨接合用プレートとの間に隙間が生じ、骨折の初期治癒に必要不可欠である血流を確保することが可能となると共に、骨接合用プレートのずれ等が生じにくく、初期固定が飛躍的に向上し、また術者の作業性も向上することができる。
【００１５】
さらに、骨接合用プレートは骨折部に対し、面で接触せず、点で接触するため、骨折修復部に生じる応力が骨接合用プレート内に分散され、その結果スクリュウへの応力集中を低減することができる。
【００１６】
また、複雑骨折や粉砕骨折の場合、現状では術者の手腕に依存する部分が多かったが、本考案の骨接合材システムを用いることにより、熟練技術を必要とせず、骨折の修復が可能となる。
【考案を実施するための最良の形態】
【００１７】
本考案の骨接合材システムの一実施例を、図面を参照して説明する。図１は、本考案に係る骨接合材システムの一実施例を示す斜視図である。図２は、図１のスクリュウ挿入側骨接合用プレートを示す（ａ）平面図、（ｂ）一部破断正面図、および（ｃ）底面図である。図３は、図１の受側骨接合用プレートを示す（ａ）平面図、（ｂ）一部破断正面図、および（ｃ）底面図である。
【００１８】
図示した骨接合材システムは、６つの透孔（１１）を備えたスクリュウ挿入側骨接合用プレート（１０）と、６つのネジ孔（２１）を備えた受側骨接合用プレート（２０）と、透孔（１１）に通され、かつ、ネジ孔（２１）に係合可能である２つの受側プレート固定用スクリュウ（３０）とからなる。スクリュウ挿入側骨接合用プレート（１０）および受側骨接合用プレート（２０）のそれぞれには、骨と対向する側に、円柱状の基部と、該基部の上面より小さい底面である円錐状の先端部とからなる１４の突起構造（１２、２２）を備える。基部は、円柱状以外に、多角柱状であってもよく、先端部は、円錐状以外に、多角錐状であってもよいし、突起構造が、単に、円錐状または多角錐状であってもよい。
【００１９】
なお、透孔（１１）、およびネジ孔（２１）は、数がそれぞれ１〜８である。
【００２０】
また、隣り合う透孔（１１）またはネジ孔（２１）の間に、突起構造（１２、２２）が配置される。
【００２１】
このように配置される突起構造（１２、２２）により、手術時に、骨接合用プレートがずれることを防止し、かつ、初期治癒に必要不可欠である十分な血流が確保できる。
【００２２】
本考案の骨接合材システムの異なる実施例を、図面を参照して説明する。図４は、本考案に係る骨接合材システムの異なる実施例を示す斜視図である。
【００２３】
６つの透孔（１１）を備えたスクリュウ挿入側骨接合用プレート（１０）と、透孔（１１）に通され、かつ、骨にネジ入れ可能である２つの骨固定用スクリュウ（４０）とからなる。スクリュウ挿入側骨接合用プレート（１０）には、骨と対向する側に、円柱状の基部と、該基部の上面より小さい底面である円錐状の先端部とからなる１４の突起構造（１２）を備える。
【００２４】
なお、透孔（１１）は、数が１〜８である。
【００２５】
また、隣り合う透孔（１１）の間に、突起構造（１２）が配置される。
【００２６】
スクリュウ挿入側骨接合用プレート（１０）、受側骨接合用プレート（２０）、受側プレート固定用スクリュウ（３０）、および骨固定用スクリュウ（４０）は、チタン、チタン合金、ステンレス、樹脂など、公知の骨接合材と同様の材料を使用する。
【図面の簡単な説明】
【００２７】
【図１】本考案に係る骨接合材システムの一実施例を示す斜視図である。
【図２】図１のスクリュウ挿入側骨接合用プレートを示す（ａ）平面図、（ｂ）一部破断正面図、および（ｃ）底面図である。
【図３】図１の受側骨接合用プレートを示す（ａ）平面図、（ｂ）一部破断正面図、および（ｃ）底面図である。
【図４】本考案に係る骨接合材システムの異なる実施例を示す斜視図である。
【符号の説明】
【００２８】
１０  スクリュウ挿入側骨接合用プレート
２０  受側骨接合用プレート
１１  透孔
１２、２２  突起物
２１  ネジ孔
３０  受側プレート固定用スクリュウ
４０  骨固定用スクリュウ
【図１】
0003147348.tif 000003
【図２】
0003147348.tif 000004
【図３】
0003147348.tif 000005
【図４】
0003147348.tif 000006